(57)【要約】【課題】寝位入浴における機械化の大幅な低コスト化を実現するとともに、介護分野における労働環境の改善に資する入浴用ストレッチャーを提供する。【解決手段】入浴用ストレッチャー１は、キャスター７を有して移動可能な台車３と、台車３の上面側に該台車３に対して上下方向に着脱自在に載置された担架５とを有している。担架５の四箇所には介護用リフト２７のハンガー３１のスリングベルト３５の先端に取り付けられたフックを係合する吊り下げ部１３が設けられている。フックを係合した後、ハンガー３１を上昇させると被介護者ＨＰを載せた担架５が分離し、この状態で担架５を浴槽５５の真上まで移動する。その後、介護用リフト２７を操作し、担架５を下降させて浴槽５５内に入れ、浴槽５５の湯Ｓに被介護者ＨＰを浸ける。入浴が終わったら担架５を上昇させて移動し、台車３の所定位置に載置する。【選択図】  図７
2020049064.tif 000002
【特許請求の範囲】
【請求項１】
キャスターを有して移動可能な台車と、被介護者を寝た姿勢で載せることができる広さを有し前記台車の上面側に上下方向に着脱自在に載置された担架と、前記担架側に設けられた複数の吊り下げ部とを備え、前記担架は前記吊り下げ部を介して介護用リフトで吊り下げられて、前記台車から上昇離脱されることを特徴とする入浴用ストレッチャー。
【請求項２】
請求項１に記載した入浴用ストレッチャーにおいて、
前記台車と前記担架のうちいずれか一方に棒状の嵌合部材が設けられ、他方に前記担架を前記台車の上方から下降させたときに前記嵌合部材が嵌合する嵌合凹部が設けられており、
前記嵌合凹部は、位置決め溝とその両側にテーパ状に連なって先端に向かって拡がったガイド縁とで構成され、前記ガイド縁を含むガイド片が内側に反るように曲げられていることを特徴とする入浴用ストレッチャー。
【請求項３】
請求項２に記載した入浴用ストレッチャーにおいて、
前記嵌合凹部は被介護者の身長方向と直交する方向に対向して一対設けられ、前記嵌合部材は前記直交する方向に渡されて設けられており、前記嵌合部材が前記一対の嵌合凹部に二箇所で嵌合されることを特徴とする入浴用ストレッチャー。
【請求項４】
請求項１から３のいずれかに記載した入浴用ストレッチャーにおいて、
前記台車に対する前記担架の上方への離脱と共に、被介護者の身長方向の位置ずれを阻止するロック手段を有していることを特徴とする入浴用ストレッチャー。
【請求項５】
請求項１から４のいずれかに記載した入浴用ストレッチャーにおいて、
前記担架が、被介護者の身長方向に直交する方向に沿って中折れして、被介護者の姿勢を変更可能になっていることを特徴とする入浴用ストレッチャー。
【請求項６】
請求項１から５のいずれかに記載した入浴用ストレッチャーにおいて、
前記担架の両側に被介護者のずれ落ちを防止するためのサイドカバーが複数設けられており、これらのサイドカバーは下端部を挿し込むだけの着脱構成を有していることを特徴とする入浴用ストレッチャー。
【請求項７】
請求項１から６のいずれかに記載した入浴用ストレッチャーにおいて、
前記担架には隙間が設けられており、その隙間に枕が着脱自在に嵌め込まれることを特徴とする入浴用ストレッチャー。
【請求項８】
請求項１から７のいずれかに記載した入浴用ストレッチャーを使用した寝位入浴方法において、
キャスターを有して移動可能な台車の上部に上下方向に着脱自在な担架が載置されたストレッチャーを用い、前記担架に被介護者を仰臥位で載せた状態で前記ストレッチャーを浴槽の近傍に移動させた後、被介護者を載せたままの状態で前記担架を介護用リフトで吊り下げ、前記浴槽の上方に位置付けた後前記担架を下降させて前記浴槽に被介護者と共に浸けて入浴させることを特徴とする寝位入浴方法。
【発明の詳細な説明】
【技術分野】
【０００１】
本発明は、寝た姿勢（仰臥位）での入浴に用いられる入浴用ストレッチャー及び寝位入浴方法に関するものである。
【背景技術】
【０００２】
例えば、高齢者用の介護施設においては、身体の自由が殆どきかない重度身体障碍者（被介護者）を入浴させる場合、被介護者をストレッチャーに乗せて浴室へ移動し、ストレッチャーから浴室に備えられた入浴専用のリフト装置に吊り下げられたスリングシートへ移乗している。このスリングシートへの移乗は、介助者の人力に頼っているのが現状である。
【０００３】
このような人力による移乗介助では、被介護者、介助者双方の負担が大きい。
すなわち、被介護者においては、移乗の際に一時的に無理な姿勢を強制させられるため身体的苦痛を受ける虞がある。また、スリングシートは被介護者を丸めるように拘束するため、入浴中の身体的負担も大きい。特に、座位姿勢を保持できない重度身体障碍者等の被介護者にとってスリングシートによる拘束は肉体的苦痛が大きい場合がある。
一方、介助者においては、移乗の際に被介護者を落としたり、被介護者を抱えたまま転倒してしまったりする危険性が付き纏うため、肉体的労力と共に心労も少なくない。更に、日常的に過重な負担が掛かるため、腰痛を引き起こすリスクも高くなる。加えて、被介護者１人を移乗させるのに、抱き抱える介助者だけでなく、それを補助する介助者も併せると、合計で３〜４人必要となり、介助者の確保に苦労している施設側にとっても経済的負担が大きい。
【０００４】
このような問題に対処すべく、近年においては機械化による人力介助の軽減が進んでおり、被介護者を寝たままの状態で入浴させる方法が実施されている。
例えば、特許文献１、２には、被介護者を寝た状態で載せる担架を分離可能に備えたストレッチャーが開示されている。
被介護者をベッドから担架に移した後、ストレッチャーを移動して、いわゆる機械浴槽と呼ばれる浴槽に横付けし、ストレッチャーの昇降機能で高さを合わせた後、レールを介して担架を浴槽内の担架支持台に載せ、その後、浴槽壁を上昇させ、あるいは担架支持台を下降させて被介護者を担架に乗せたまま湯に浸けるようになっている。このような入浴方法は、一般に寝位入浴又は寝浴などと呼ばれている。
【０００５】
この入浴方法によれば、被介護者をベッドから担架に載せるときと、機械浴槽とストレッチャー間で担架をスライドさせる際に人力が必要であるが、スリングシート移乗方式に比べて大幅に労力が軽減され、安全性も高く、被介護者の肉体的負担も極めて少ない。
ベッドから担架に移す場合には、ストレッチャーの昇降機能を利用して担架とベッドの高さを合わせることができるため、例えば被介護者の下に敷いたシートを引っ張るだけで移すことができる。移動式の簡易リフトを用いて移すこともできる。
被介護者は寝た状態のまま入浴することができるので、肉体的負担は殆どない。介助者も１人か多くても２人で済むため、介助者の肉体的、心的労力も大幅に軽減され、施設側にとっても人件費の負担が少なくて済む。
【先行技術文献】
【特許文献】
【０００６】
【特許文献１】特開２００９−１９５５３６号公報
【特許文献２】特開２０１６−１６２１３号公報
【発明の概要】
【発明が解決しようとする課題】
【０００７】
上記のように、寝位入浴における機械化（システム化）は、ストレッチャー上の担架を水平にスライドさせて機械浴槽内の担架支持台に載せる（移す）方式が採用されている。
しかしながら、機械浴槽を用いる方式では、浴槽の水密状態を維持した精密な可動構成が必要となるため、必然的に価格の高騰を避けられない。機械浴槽を用いた市場での実際のシステム価格は１千数百万円程度の高額となっている。
このため、当該介護分野において、人件費の高騰との関係もあって低コスト化が強く望まれている。
【０００８】
本発明はこのような現状に鑑みて創案されたもので、簡易な構成でありながら上記の機械浴槽と同様な寝位入浴を可能にして、大幅な低コスト化を実現することができる入浴用ストレッチャーの提供を、その目的とする。
また、本発明の他の目的は、この入浴用ストレッチャーの適切な使用による寝位入浴方法の提供にある。
【課題を解決するための手段】
【０００９】
本発明は、上記目的を達成するためになされたものであり、請求項１の発明は、キャスターを有して移動可能な台車と、被介護者を寝た姿勢で載せることができる広さを有し前記台車の上面側に上下方向に着脱自在に載置された担架と、前記担架側に設けられた複数の吊り下げ部とを備え、前記担架は前記吊り下げ部を介して介護用リフトで吊り下げられて、前記台車から上昇離脱されることを特徴とする入浴用ストレッチャーである。
【００１０】
請求項２の発明は、請求項１に記載した入浴用ストレッチャーにおいて、前記台車と前記担架のうちいずれか一方に棒状の嵌合部材が設けられ、他方に前記担架を前記台車の上方から下降させたときに前記嵌合部材が嵌合する嵌合凹部が設けられており、前記嵌合凹部は、位置決め溝とその両側にテーパ状に連なって先端に向かって拡がったガイド縁とで構成され、前記ガイド縁を含むガイド片が内側に反るように曲げられていることを特徴とする入浴用ストレッチャーである。
【００１１】
請求項３の発明は、請求項２に記載した入浴用ストレッチャーにおいて、前記嵌合凹部は被介護者の身長方向と直交する方向に対向して一対設けられ、前記嵌合部材は前記直交する方向に渡されて設けられており、前記嵌合部材が前記一対の嵌合凹部に二箇所で嵌合されることを特徴とする入浴用ストレッチャーである。
【００１２】
請求項４の発明は、請求項１から３のいずれかに記載した入浴用ストレッチャーにおいて、前記台車に対する前記担架の上方への離脱と共に、被介護者の身長方向の位置ずれを阻止するロック手段を有していることを特徴とする入浴用ストレッチャーである。
【００１３】
請求項５の発明は、請求項１から４のいずれかに記載した入浴用ストレッチャーにおいて、前記担架が、被介護者の身長方向に直交する方向に沿って中折れして、被介護者の姿勢を変更可能になっていることを特徴とする入浴用ストレッチャーである。
【００１４】
請求項６の発明は、請求項１から５のいずれかに記載した入浴用ストレッチャーにおいて、前記担架の両側に被介護者のずれ落ちを防止するためのサイドカバーが複数設けられており、これらのサイドカバーは下端部を挿し込むだけの着脱構成を有していることを特徴とする入浴用ストレッチャーである。
【００１５】
請求項７の発明は、請求項１から６のいずれかに記載した入浴用ストレッチャーにおいて、前記担架には隙間が設けられており、その隙間に枕が着脱自在に嵌め込まれることを特徴とする入浴用ストレッチャーである。
【００１６】
請求項８の発明は、請求項１から７のいずれかに記載した入浴用ストレッチャーを使用した寝位入浴方法において、キャスターを有して移動可能な台車の上部に上下方向に着脱自在な担架が載置されたストレッチャーを用い、前記担架に被介護者を仰臥位で載せた状態で前記ストレッチャーを浴槽の近傍に移動させた後、被介護者を載せたままの状態で前記担架を介護用リフトで吊り下げ、前記浴槽の上方に位置付けた後前記担架を下降させて前記浴槽に被介護者と共に浸けて入浴させることを特徴とする寝位入浴方法である。
【発明の効果】
【００１７】
本発明によれば、浴槽側の機械化が全く不要で、既設の介護用リフトがある場合には担架の吊り下げ用にそのまま利用することができ、よって寝位入浴における機械化の大幅な低コスト化を実現することができるとともに、介護分野における労働環境の改善にも資することができる。
【図面の簡単な説明】
【００１８】
【図１】本発明の一実施形態に係る入浴用ストレッチャーの概略的斜視図である。
【図２】図１で示した入浴用ストレッチャーの担架の角度変更機能と介護用リフトとの接続関係を示す図で、（ａ）は正面図、（ｂ）は側面図である。
【図３】台車と担架とを連結するロック手段の構成を示す要部斜視図で、（ａ）はロック解除状態を示す図、（ｂ）はロック状態を示す図である。
【図４】担架位置決め手段の構成を示す分解斜視図である。
【図５】図１で示した入浴用ストレッチャーが使用される浴室の一例の概要平面図である。
【図６】図１で示した入浴用ストレッチャーにおいて、介護用リフトで担架を吊り下げた状態を示す図で、（ａ）は正面図、（ｂ）は側面図である。
【図７】図１で示した入浴用ストレッチャーを用いた入浴方法を示す概要断面図で、（ａ）は担架を下降させて浴槽に対する位置合わせをしている状態を示す図、（ｂ）は担架を下降させて浴槽の湯に被介護者を浸けた状態を示す図である。
【発明を実施するための形態】
【００１９】
以下、本発明の実施の形態に係る入浴用ストレッチャー及び寝位入浴方法を図面にしたがって説明する。
図１に示すように、入浴用ストレッチャー１は、パイプ材を直方体状の輪郭を形成するように組み付けて構成された台車３と、台車３の上面側に該台車３に対して上下方向（矢印Ｚ方向）に着脱自在に載置された担架５とを有している。
台車３の四隅の下端にはキャスター７が取り付けられており、３６０°自在に向きを変えての移動が可能となっている。各キャスター７は車輪のロック、ロック解除をするためのレバー７ａを有している。
【００２０】
担架５は、パイプ材で長方形の枠を形成するように構成されたベースフレーム９と、同じくパイプ材で構成され被介護者を載せる担架本体１１とを有している。担架本体１１は長方形の長辺方向に沿って被介護者の身体を伸ばして寝た姿勢（仰臥位）で載せることができる広さ（輪郭面積）を有している。
ベースフレーム９には、後述する介護用リフトで吊り下げるための吊り下げ部（フック係合部）１３が設けられている。吊り下げ部１３は、屈曲した棒状体の両端部をベースフレーム９に固定して閉鎖した環状体で構成されている。吊り下げ部１３はベースフレーム９よりも上方に突出している。吊り下げ部１３は、担架５を安定に吊り下げるよう、両長辺側にそれぞれ間隔をあけて２つずつ合計四箇所に設置されている。
【００２１】
担架本体１１の輪郭をなすパイプ枠１５は、ベースフレーム９に固定された固定部１５ａと、固定部１５ａの一端側（被介護者の頭部側）に回動自在に連結され、被介護者の上半身部を支持する上半身支持部１５ｂと、固定部１５ａの他端側（被介護者の脚部側）に一端側が回動自在に連結され、被介護者の下半身部を支持する第１の下半身支持部１５ｃと、第１の下半身支持部１５ｃの他端側に回動自在に連結された第２の下半身支持部１５ｄとから構成されている。
【００２２】
パイプ枠１５における被介護者の身長方向（矢印Ｙ方向）に延びるパイプ材間には、被介護者を支持するための金属製のプレート１７が複数橋渡し状に配置されて固定されている。各プレート１７の上面には、合成樹脂製のクッション材１９が配置されており、これらのクッション材１９は清掃が容易にできるように、ピン２１を押し込んで止めるだけの着脱構成となっている。これにより清掃時にはワンタッチで取り外し、装着ができる。図１において、符号１７ａ、１９ａはピン２１の挿通孔を示している。
パイプ枠１５における上半身支持部１５ｂの先端（横枠）とこれに隣り合うクッション材１９との間には、隙間があり、この隙間にクッション材１９と同じ材質の枕２３が着脱自在に嵌め込まれている。明示しないが、枕２３の表面には被介護者の頭部を安定に収容するための凹みが形成されている。
【００２３】
担架本体１１の両側、すなわちパイプ枠１５の両長辺側には、被介護者のずれ落ちを防止するために、サイドカバー２５ａ、２５ｂ、２５ｃが対向して配置されている。これらはいずれも１本のパイプ材の両端側が同じ方向に平行になるように屈曲されて下方を向いている。サイドカバー２５ａ、２５ｂ、２５ｃは、身体の部位に対応して中間の屈曲部の形状が異なっている。サイドカバー２５ａの仮想線図で示すように、両下端には小径の挿入部２５ａ−１が設けられており、挿入部２５ａ−１をパイプ材側の凹部（孔）に挿入するだけの簡単な着脱構成となっている。サイドカバー２５ｂ、２５ｃについても同様の着脱構成となっている。被介護者を担架５に載せるときや担架５上で被介護者を洗体するときはこれらのサイドカバー２５ａ、２５ｂ、２５ｃは邪魔にならないように適宜取り外される。当たりを緩和するためにスポンジ等の柔軟部材で表面を被覆してもよい。
【００２４】
図２（ａ）に示すように、被介護者の頭部が位置する側である担架本体１１の上半身支持部１５ｂは、水平面から所定の角度で起こした状態に保持できる構成を有している。本実施の形態では、上半身支持部１５ｂは角度がゼロの水平位置と、角度θ１（１５°）の位置と、角度θ２（３０°）の位置との３段階のいずれかに適宜設定できるようになっている。この角度設定は、浴槽に入れるときに被介護者の顔が湯に浸からないようにするためや、被介護者の入浴時の姿勢を適宜起こして負担を軽減するためのものである。
【００２５】
図２（ａ）に示すように、被介護者の下半身部を支持する第１の下半身支持部１５ｃと第２の下半身支持部１５ｄも水平面から所定の角度で起こした状態に保持できる構成を有している。本実施の形態では、第１の下半身支持部１５ｃと第２の下半身支持部１５ｄの境界が角度ゼロの水平位置で連なった状態と、その境界が山形に隆起した状態、すなわち、第１の下半身支持部１５ｃが角度θ３（１６°）で傾斜した状態とに適宜設定できるようになっている。この角度設定は、上半身支持部１５ｂを起こすことにより被介護者の下半身がずり落ちるのを抑制するためのものである。
【００２６】
上記の角度設定は、いずれも、リンク機構を利用して実現されており、設定位置で安全にロックされる。このように、担架５は、被介護者の身長方向に直交する方向に沿って中折れして、そこに載せられた被介護者の姿勢を変更可能になっている。
【００２７】
図２は、介護用リフト２７が担架５を吊り下げる前の状態、すなわちリフトアップ準備完了状態を示している。介護用リフト２７の横架レール２９には昇降可能なハンガー３１を有する走行体３３が設けられている。ハンガー３１はＸ方向に延びており、その両端側にはそれぞれスリングベルト３５が２つずつ連結されている。スリングベルト３５の下端側には不図示のカラビナフックが設けられており、該カラビナフックは担架５のベースフレーム９に固定された上記４つの吊り下げ部１３に係合される。
【００２８】
入浴用ストレッチャー１の矢印Ｙ方向における中央部には、台車３に対する担架５の離脱を阻止するロック手段３７が幅方向（矢印Ｘ方向）において対向配置されている。
また、入浴用ストレッチャー１の矢印Ｙ方向における両端近傍には、台車３に対する担架５の上下方向の着脱を案内するとともに台車３に対する担架５の位置決めをする担架位置決め手段３９が幅方向（矢印Ｘ方向）においてそれぞれ対向配置されている。
【００２９】
ロック手段３７は、図３に示すように、台車３のパイプ材に上記の吊り下げ部１３と同様に環状体で構成された位置ずれ規制枠４１を備えている。この位置ずれ規制枠４１は下方に向かって突出している。この位置ずれ規制枠４１にカラビナフック４３が連結されている。
ベースフレーム９のパイプ材にも同様にＪ字状体で構成された取付け枠４５を備えている。この取付け枠４５も下方に向かって突出している。
【００３０】
図３（ａ）はロックを解除した状態を示している。担架５が台車３の所定位置に載置された後は、担架５の台車３からの離脱を防止するために、図３（ｂ）に示すように、取付け枠４５にカラビナフック４３を係合してロックする。このロックにより、担架５が台車３に対して矢印Ｙ方向に動いて位置ずれするのが規制される。
【００３１】
担架位置決め手段３９は、図４に示すように、台車３のパイプ材の内側（ＸＩＮ側）にネジ止めや溶接等の手段により固定された嵌合凹部４７と、担架５のベースフレーム９の幅方向（矢印Ｘ方向）に渡され固定されたパイプ材又は丸棒からなる嵌合部材４９とを有している。嵌合部材４９は嵌合凹部４７に対する嵌合部材としてなるとともに、補強機能も備えている。
嵌合凹部４７は、平板状部材がＬ字状に折り曲げられたものになっており、台車３のパイプ材に沿ってその下側から内側に回り込んでおり、内側部分はパイプ材よりも上方に突出している。この突出部分が上端からＹ字状に切り欠かれて、一対のテーパ状のガイド縁４７ａ、４７ｂを形成するとともに中央に嵌合部材４９が嵌合する位置決め溝４７ｃを形成している。ガイド縁４７ａ、４７ｂをそれぞれ縁部とする、三角形状のガイド片４７Ａ、４７Ｂのエッジが担架５を下降する際にベースフレーム９に当たるのを回避するために、内側へ反るように曲げられている。他の三箇所における担架位置決め手段３９も同様の構成を有している。
【００３２】
上記構成により、担架５を台車３に載置する場合、オペレータは介護用リフト２７のリモコンを操作しながら大体の位置合わせをした状態で担架５を下降させれば、担架５は自動的に所定位置に載置される。
すなわち、ガイド縁４７ａ、４７ｂのテーパ機能が作用する範囲（Ｗ２）内のいずれかの位置に嵌合部材４９が当接するように担架５の位置合わせをすれば、後は担架５の自重で嵌合部材４９がガイド縁４７ａ、４７ｂを摺動し、最終的に位置決め溝４７ｃに嵌合して台車３の所定位置に位置決めされる。
【００３３】
テーパ機能が作用する範囲（Ｗ２）は位置決め溝４７ｃの幅（Ｗ１）よりもかなり大きく設定されているので、オペレータは位置決め溝４７ｃに対する嵌合部材４９の位置合わせを注意深くする必要は無く、多少のずれがあってもテーパ機能により自動的に位置決めされる。
これにより、台車３に対する担架５の載置操作が極めて楽となる。すなわち、介護用リフト２７を片手に持ったリモコンで操作しながら他方の手で担架５の姿勢を調整する作業（１人作業）が容易となる。したがって、担架５を台車３から完全に分離する構成としたことによる弊害は殆ど無い。
【００３４】
本実施の形態では嵌合部材（嵌合部材４９）を担架５側に設け、嵌合凹部４７を台車３側に設ける構成としたが、逆態様の構成としても同様の余裕度の高い位置決め機能を得ることができる。
【００３５】
次に、本実施の形態に係る入浴用ストレッチャー１を用いた寝位入浴方法を詳細に説明する。
図５は、浴室の一例を示す平面図である。浴室５１の天井には、２本のレール５３、５３が平行に設置されており、これらのレール５３、５３間に横架された横架レール２９がＸ方向に走行可能となっている。上記のように、走行体３３はこの横架レール２９に沿ってＹ方向に走行可能であるので、走行体３３は浴室５１内の平面移動が可能となっている。勿論、単一のレールを使用した線移動方式としてもよい。
被介護者ＨＰを担架５に載せた状態で入浴用ストレッチャー１を移動し、入り口５１Ｅから浴室５１内に入る。洗い場ＡＷにて入浴用ストレッチャー１のキャスター７を固定し、サイドカバー２５ａ、２５ｂ、２５ｃを外して被介護者ＨＰの洗体を行う。
【００３６】
入浴前の洗体が終了したら、一旦取り外したサイドカバー２５ａ、２５ｂ、２５ｃを再び装着した後、介護用リフト２７をリモコンで操作し、走行体３３を入浴用ストレッチャー１の真上に位置付け、図２で示したようにハンガー３１のスリングベルト３５のフックを入浴用ストレッチャー１の４つの吊り下げ部１３に係合する。
その後、ロック手段３７のロックを解除し、ハンガー３１を上昇させる。ハンガー３１が上昇すると、図６に示すように、被介護者ＨＰを載せた担架５が台車３から分離する（リフトアップ）。担架５の上半身支持部１５ｂの角度は３０°に設定されている。
この状態で、横架レール２９を矢印Ｘ方向に移動させ、担架５が浴槽５５の真上になるように位置付ける。ここでは分かり易くするために浴槽５５をハッチングで表示している。浴槽５５は何らの機械構成を施していない通常の浴槽である。
【００３７】
次に、図７（ａ）に示すように、担架５を少しずつ下降させながら浴槽５５に対する担架５の細かな位置合わせをする。この場合、担架５は水平面内で回転するなどの振れが生じ易いが、オペレータ（介助者）が片手を添えるだけで簡単に姿勢ずれを調整できる。リモコン操作や手添えによる調整をしながら、図７（ｂ）に示すように担架５をさらに下降させて担架５を浴槽５５内に入れ、被介護者ＨＰを湯Ｓに浸ける。
【００３８】
入浴が完了したら、介護用リフト２７を操作して担架５を浴槽５５から引き上げ、横架レール２９を移動させて台車３の真上に位置付けた後、下降させる。上記したように、担架５を下降させて台車３に載置する場合には大体の位置合わせでよく、その後さらに下降させれば担架５の嵌合部材４９がテーパ状のガイド縁４７ａ、４７ｂを摺動して自動的に位置決め溝４７ｃに嵌合する。
担架５が台車３の所定位置に載置された後、ロック手段３７で担架５と台車３とをロック（結合）し、入浴用ストレッチャー１を移動させて浴室５１を出る。
【００３９】
本発明では、介護用リフト２７で担架５を吊り下げて入浴する構成（方法）としたので、浴槽側の機械化は一切不要で、担架５を入れることができる開口を有していれば通常の浴槽を使用することができる。
浴室に介護用リフト２７が既設として存在する場合にはこれを担架５を移動するためにそのまま使用することができる。また、機械浴槽に対するストレッチャーの位置合わせ機能も不要となるので、昇降機能を有しない台車３を用いることができる。
【００４０】
このように、本発明を実施するにあたって、新たな付加構成はロック手段３７や台車３に対する担架５の上下方向の着脱構成のみであり、機械浴槽を用いた寝位入浴方法に比べてシステム価格を大幅に低減できる。実際に試算した結果、機械浴槽を用いる場合に比べて約半分のシステム価格とすることができ、既設の介護用リフト及び浴槽がそのまま利用できる場合には１／３程度の低価格とすることができることが確認された。
【００４１】
上記のように、本発明は、寝位入浴における従来の機械化の趨勢が、機械浴槽を前提とし、担架を水平にスライドさせて機械浴槽内に位置付けるという考え方を基本としていることに鑑み、発想を変えて担架を台車に対して上下方向に着脱するようにし、介護用リフトをその動力源として利用することとしたものである。
既設又は新設の介護用リフトを動力源とすることにより、高価な機械浴槽による寝位入浴機能を簡単な機械構成で代替できる。
【００４２】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００４３】
１…入浴用ストレッチャー      ３…台車        ５…担架        ７…キャスター
１３…吊り下げ部    ２５ａ、２５ｂ、２５ｃ…サイドカバー      ２７…介護用リフト
３７…ロック手段    ３９…担架位置決め手段    ４７…嵌合凹部
４７ａ、４７ｂ…ガイド縁      ４９…嵌合部材  ５１…浴室      ５５…浴槽
Ｓ…湯
【図１】
2020049064.tif 000003
【図２】
2020049064.tif 000004
【図３】
2020049064.tif 000005
【図４】
2020049064.tif 000006
【図５】
2020049064.tif 000007
【図６】
2020049064.tif 000008
【図７】
2020049064.tif 000009